(57)【要約】      （修正有）【課題】集合住宅のオートドアを解錠させるための暗証番号を定期的に変更してセキュリティ性を向上させる。【解決手段】来訪者が居住者を呼び出して通話を行うための集合玄関機と、集合玄関機からの呼び出しを確認した居住者が応答して来訪者との間で通話を行うための居室親機と、集合玄関機、居室親機をそれぞれ制御する制御機と、来訪者または居住者が集合住宅内を出入りするためのオートドアとから構成される集合住宅インターホンシステムであって、制御機は、所定の周期でオートドアを解錠するための暗証番号を変更する制御回路と、制御回路で変更した暗証番号を記憶するための暗証番号メモリと、変更した暗証番号を居室親機及び管理室親機へ通知するための通信回路を備えた。【選択図】図１
2010074697.tif 000002
【特許請求の範囲】
【請求項１】
来訪者が居住者を呼び出して通話を行うための集合玄関機と、前記集合玄関機からの呼び出しを確認した居住者が応答して前記来訪者との間で通話を行うための居室親機と、前記集合玄関機、前記居室親機をそれぞれ制御する制御機と、来訪者または居住者が集合住宅内を出入りするためのオートドアとから構成される集合住宅インターホンシステムであって、
前記制御機は、所定の周期で前記オートドアを解錠するための暗証番号を変更する制御回路と、前記制御回路で変更した暗証番号を記憶するための暗証番号メモリと、前記変更した暗証番号を前記居室親機及び前記管理室親機へ通知するための通信回路を備えたことを特徴とする集合住宅インターホンシステム。
【請求項２】
前記集合玄関機は複数接続されるものであって、
前記制御機は、各集合玄関機から呼出ことができる居室親機を規制するための呼出規制メモリと、集合玄関機ごとに所定の周期で変更される前記オートドアを解錠するための暗証番号を記憶するための暗証番号メモリと、前記変更した暗証番号を前記呼出規制メモリの情報に基づいて、集合玄関機の呼出規制の対象となる居室親機へ送信することを特徴とする請求項１記載の集合住宅インターホンシステム。
【請求項３】
前記暗証番号メモリは、変更前の暗証番号を所定の期間継続して保存し、当該所定の期間は変更前、変更後の双方の暗証番号を有効にすることを特徴とする請求項１又は請求項２記載の集合住宅インターホンシステム。
【発明の詳細な説明】
【技術分野】
【０００１】
本発明は集合住宅インターホンシステムに係り、特に、オートドアの暗証番号を定期的に変更することにより第三者に暗証番号が漏れてしまった場合であっても容易に集合住宅内に侵入することを防止する集合住宅インターホンシステムに関する。
【背景技術】
【０００２】
従来の集合住宅インターホンシステムは、エントランスにある電気錠を有するオートドアを有し、居住者による解錠操作（居室親機における解錠操作を含む）によらなければ、当該電気錠を解錠することができないため不審者等が集合住宅内に侵入することは困難であった。（例えば特許文献１）。
【特許文献１】特開２０００−１０１７３１号公報
【発明の開示】
【発明が解決しようとする課題】
【０００３】
しかしながら、従来例の集合住宅インターホンシステムにおいて、集合玄関のオートドアを解錠させるにあたって、集合玄関機で暗証番号を入力することでおこなってきたが、第三者が集合玄関機の後ろにいたときには、その暗証番号が漏れてしまうこともありセキュリティ性が低下するおそれがあった。
【０００４】
本発明は、上述の難点を解消するためになされたもので、定期的に暗証番号を変更し、当該暗証番号の情報を各居室親機または管理室親機に通知することでセキュリティ性を向上させる。また、複数の集合玄関機が備えられる大規模システムであっても各エリアに暗証番号を付与するようにして、よりセキュリティ性を向上させることが可能な集合住宅インターホンシステムを提供することを目的としている。
【課題を解決するための手段】
【０００５】
上記課題を解決するために、請求項１に記載の発明は、来訪者が居住者を呼び出して通話を行うための集合玄関機と、集合玄関機からの呼び出しを確認した居住者が応答して来訪者との間で通話を行うための居室親機と、集合玄関機、居室親機をそれぞれ制御する制御機と、来訪者または居住者が集合住宅内を出入りするためのオートドアとから構成される集合住宅インターホンシステムであって、制御機は、所定の周期でオートドアを解錠するための暗証番号を変更する制御回路と、制御回路で変更した暗証番号を記憶するための暗証番号メモリと、変更した暗証番号を居室親機及び管理室親機へ通知するための通信回路を備えたことを特徴とする。
【０００６】
また、請求項２の発明は、請求項１において、集合玄関機は複数接続されるものであって、制御機は、各集合玄関機から呼出ことができる居室親機を規制するための呼出規制メモリと、集合玄関機ごとに所定の周期で変更されるオートドアを解錠するための暗証番号を記憶するための暗証番号メモリと、変更した暗証番号を呼出規制メモリの情報に基づいて、集合玄関機の呼出規制の対象となる居室親機へ送信することを特徴とする。
【０００７】
また、請求項３の発明は、請求項１又は請求項２において、暗証番号メモリは、変更前の暗証番号を所定の期間継続して保存し、当該所定の期間は変更前、変更後の双方の暗証番号を有効にすることを特徴とする。
【発明の効果】
【０００８】
請求項１の発明によれば、定期的に暗証番号が変更されるので、万一、住人以外に知られてしまった場合であってもセキュリティ性を保つことができ、第三者が集合住宅内に侵入するのを防ぐことができる。
【０００９】
請求項２の発明によれば、集合玄関機が複数接続される大規模な集合住宅であって、集合玄関機ごとに分離しているような場合に、それぞれに暗証番号を付与するようにしたため、集合住宅の住人であっても、他のエリアに入ることを防止することができ、より一層セキュリティ性を向上させることができる。
【００１０】
請求項３の発明によれば、変更前の暗証番号を所定の期間のみ有効とするので確認忘れの場合でも集合住宅内に入ることができる。
【発明を実施するための最良の形態】
【００１１】
以下、本発明の集合住宅集合住宅インターホンシステムを適用した最良の実施の形態例について、図面を参照して説明する。
図１は、本発明の実施例による集合住宅集合住宅インターホンシステムの構成を示す外観図であり、  図１は、本発明の実施例による集合住宅集合住宅インターホンシステムの構成を示す図であり、管理室に設置され、後述する集合玄関機２ａ、２ｂ・・・及び居室親機３ａ、３ｂ・・・と通話するための管理室親機１、集合住宅のエントランスに設置され、来訪者が居住者を呼び出して通話するための集合玄関機２ａ、２ｂ・・・、管理室親機１又は集合玄関機２ａ、２ｂ・・・からの呼び出しに応答して通話するための居室親機３ａ、３ｂ・・・、管理室親機１、集合玄関機２ａ、２ｂ・・・、及び居室親機３ａ、３ｂ・・・をそれぞれ制御するための制御装置４、集合玄関機２ａ、２ｂ・・・に接続される電気錠付のオートドア５ａ、５ｂ、・・・、住人が所持している携帯電話６ａ、６ｂ、・・・から構成されている。
【００１２】
また、制御装置４は、管理室親機１、居室親機３ａ、３ｂ・・・及び集合玄関機２ａ、２ｂ・・・及びネットワークを介して携帯電話と通信するための通信回路４０、４１、４２、４３、制御装置４の各回路を制御する制御回路４４、暗証番号を保存する暗証番号メモリ４５、集合玄関機２ａ、２ｂ・・・それぞれの呼出先を規制するための呼出規制メモリ４６、変更する暗証番号を予め複数準備して使用するための暗証番号候補登録メモリ４７とから構成されている。
【００１３】
このように構成された集合住宅集合住宅インターホンシステムについて、以下、動作を説明する。
ここで、来訪者が集合玄関機２ａ、２ｂ・・・を用いて所望の居住者を呼び出して、居室親機３ａ、３ｂ・・・で応答すると制御装置４を介して集合玄関機２ａ、２ｂ・・・と居室親機３ａ、３ｂ・・・間で通話をおこない、さらに応答した居室親機３ａ、３ｂ・・・の操作でオートドア５ａ、５ｂ、・・・を解錠させる操作をおこなう動作については従来と同様であるので説明を省略する。
なお、本実施例においては管理室親機１が接続されているので、管理室親機１は制御装置４を介して集合玄関機２ａ、２ｂ・・・、居室親機３ａ、３ｂ・・・間と通話をおこなえることについても従来と同様であるため説明を省略する。
【００１４】
また、居住者が集合玄関機２ａ、２ｂ・・・を用いてオートドア５ａ、５ｂ、・・・を解錠させる動作については従来と同様であるので説明を省略する。
【００１５】
次に、本実施例の動作である居住者が集合玄関機２ａ、２ｂ・・・を用いてオートドア５ａ、５ｂ、・・・を解錠するための暗証番号を制御装置４が定期的に自動変更し、居室親機３ａ、３ｂ・・・および管理室親機１で表示を行う動作について説明する。
制御装置４の制御回路４４はある一定周期、例えば３ヶ月ごとで暗証番号をランダムに変更し、暗証番号メモリ４５に記憶させる（図２、図４参照）。制御装置４は変更した暗証番号を管理室親機１および居室親機３ａ、３ｂ・・・に通知する。管理室親機１および居室親機３ａ、３ｂ・・・は待受画面（モニタ）等で表示を行う。
【００１６】
本実施例において、制御装置４は居室親機３ａが集合玄関機２ａからしか呼び出すことができないように呼出規制メモリ４６に記憶されている場合（図３参照）、集合玄関機２ａから解錠できる暗証番号は居室親機３ａにのみ通知する。また、制御装置４は居室親機３ｂが集合玄関機２ｂからしか呼び出すことができないように呼出規制メモリ４６に記憶されている場合、集合玄関機２ｂから解錠できる暗証番号は居室親機３ｂにのみ通知する。また、制御装置４は管理室親機１に対してはすべての集合玄関機２ａ、２ｂの暗証番号を通知する。
【００１７】
本実施例において、変更した暗証番号をインターネット回線経由で居住者が携行している携帯電話６へメール等で通知させるようにしてもよい。
本実施例において、暗証番号を完全なランダムに変更するのではなく、制御装置４に接続されている管理室親機１、設定用パソコン（図示せず）等から設定、登録し、制御装置４の暗証番号登録メモリ４７に記憶した数種類の暗証番号の候補の中から順番あるいはランダムに選択し変更してもよい。
【００１８】
本実施例において、旧暗証番号から新暗証番号へ切り替わるときにある一定期間は新旧両方の暗証番号が有効になる移行期間（例えば０．５ヶ月間）を設けてもよい（図４参照）。
ここで、新旧両方の暗証番号が有効になる移行期間中は変更後の新暗証番号とともに変更前の旧暗証番号も表示してもよい。
【図面の簡単な説明】
【００１９】
【図１】本発明に係る集合住宅インターホンシステムのシステム構成図及びブロック図。
【図２】本発明に係る集合住宅インターホンシステムの暗証番号メモリのテーブルを示す図。
【図３】本発明に係る集合住宅インターホンシステムの呼出規制メモリのテーブルを示す図。
【図４】本発明に係る集合住宅インターホンシステムの集合玄関機の暗証番号変更に関するタイムチャート。
【符号の説明】
【００２０】
２ａ、２ｂ・・・集合玄関機
３ａ、３ｂ・・・居室親機
４・・・制御装置
４０、４１、４２・・・通信回路
４４・・・制御回路
４５・・・暗証番号メモリ
４６・・・呼出規制メモリ
５ａ、５ｂ・・・オートドア
【図１】
2010074697.tif 000003
【図２】
2010074697.tif 000004
【図３】
2010074697.tif 000005
【図４】
2010074697.tif 000006